(57)【特許請求の範囲】
【請求項１】
カウンターのシンク用開口の周縁部裏面に突設した断面逆台形状のリブに着脱自在に挟着する固定用治具によって、シンク外周フランジ部の少なくとも一組の対向部の各々が嵌合支持されることを特徴とするシンク取付構造。
【請求項２】
固定用治具は、リブの頂面幅より広い底板と、上方に向けて接近する相対向の側板とを有し、側板上端の間隙がリブの頂面幅より広い可変範囲を有しており、側板上端の間隙を広げた状態で下方から押し上げられた後に側板が復元してリブの側面に当接することにより、固定用治具がリブに挟着されることを特徴とする請求項１のシンク取付構造。
【請求項３】
固定用治具は、リブの頂面幅より広い底板と、上方に向けて接近する相対向の側板とを有し、リブの端面方向からスライドさせた固定用治具の側板がリブの側面に当接することによって、固定用治具がリブに挟着されることを特徴とする請求項１のシンク取付構造。
【請求項４】
固定用治具の側板上端の間隙が、スライド方向の先端から後端に向けて狭まっており、シンク用開口の周縁部裏面に部分的に突設されたリブに固定用治具がスライド挟着されることを特徴とする請求項３のシンク取付構造。
【請求項５】
複数個の固定用治具が、間隔を開けてリブに挟着されることを特徴とする請求項１ないし４のいずれかのシンク取付構造。
【発明の詳細な説明】
【０００１】
【発明の属する技術分野】
この出願の発明は、シンクの取付構造に関するものである。さらに詳しくは、この出願の発明は、カウンターに簡便かつ強固にシンクを取付けるとともに、シンクを容易に取り外して交換することが可能なシンク取付構造に関するものである。
【０００２】
【従来の技術】
従来、システムキッチンや洗面化粧台等のカウンターには、通常、例えば図９の平面図と、そのＡ−Ａ拡大断面を示した図１０並びにＢ−Ｂ拡大断面を示した図１１に例示した構造によってシンクが取付けられている。すなわち、カウンター（１）に形成したシンク用開口（２）の周縁部裏側の全周にわたって、図１０および図１１のようにブチルゴム等のパッキン材（３）を介して、シンク（４）の周縁部全周のフランジ部（５）を当接させると共に、図１０に示したように、少なくとも１組の対辺にウレタン樹脂等の固着剤（６）にて付着固定することによって、カウンター（１）にシンク（４）を取付けている。
【０００３】
【発明が解決しようとする課題】
しかしながら、上記のとおりの従来のシンク取付構造においては、カウンター（１）に対してシンク（４）を固着剤（６）にて固定化して取付けるため、長期間の使用による損傷や、あるいはリフォーム等のためにシンク（４）を交換しようとした場合に、カウンター（１）からシンク（４）を容易に取り外すことができないという問題点を有していた。
【０００４】
この出願の発明は、以上のとおりの事情に鑑みてなされたものであって、従来のシンク取付構造の問題点を解消し、カウンターに容易かつ強固にシンクを取付けることが可能であるとともに、カウンターからシンクを容易に取り外すことが可能な、新しいシンク取付構造を提供することを課題としている。
【０００５】
【課題を解決するための手段】
この出願は、前記の課題を解決するための発明として、第１には、カウンターのシンク用開口の周縁部裏面に突設した断面逆台形状のリブに着脱自在に挟着する固定用治具によって、シンク外周フランジ部の少なくとも一組の対向部の各々が嵌合支持されることを特徴とするシンク取付構造を提供する。
【０００６】
またこの出願の第２の発明のシンク取付構造においては、固定用治具は、リブの頂面幅より広い底板と、上方に向けて接近する相対向の側板とを有し、側板上端の間隙がリブの頂面幅より広い可変範囲を有しており、側板上端の間隙を広げた状態で下方から押し上げられた後に側板が復元してリブの側面に当接することにより、固定用治具がリブに挟着されることを特徴としている。
【０００７】
さらに第３の発明のシンク取付構造においては、固定用治具は、リブの頂面幅より広い底板と、上方に向けて接近する相対向の側板とを有し、リブの端面方向からスライドさせた固定用治具の側板がリブの側面に当接することによって、固定用治具がリブに挟着されることを特徴としている。
【０００８】
さらにまた、第４の発明では、前記スライド挟着型の固定用治具を用いたシンク取付構造において、固定用治具の側板上端の間隙が、スライド方向の先端から後端に向けて狭まっており、シンク用開口の周縁部裏面に部分的に突設されたリブに固定用治具がスライド挟着されることを特徴としている。
第５の発明では、前記各発明のシンク取付構造において、複数個の固定用治具が、間隔を開けてリブに挟着されることを特徴としてもいる。
【０００９】
【発明の実施の形態】
以下、添付した図面に沿って実施例を示し、この出願の発明のシンク取付構造についてさらに詳しく説明する。
【００１０】
図１は、この出願の発明のシンク取付構造の一実施例を示した断面図であって、カウンター（１）に形成したシンク用開口（２）の周縁部裏面には断面逆台形状のリブ（７）が突設されており、このリブ（７）に着脱自在に挟着された固定用治具（10）によってシンク（４）周縁のフランジ部（５）の少なくとも一組の対向部の各々が嵌合支持されている。
【００１１】
リブ（７）は、カウンター（１）と一体成形することができる。あるいは、カウンター（１）と同一の材料、またはカウンター（１）材料と腺膨張係数の差の少ない材料（ABS樹脂、ポリプロピレン樹脂等）によって成型したものを接着等によってカウンター（１）に取付けるなどしてもよい。なお、このリブ（７）の断面が逆台形状の形状は、正台形状であることが好ましいが、それに限定されることはなく、略台形状であってもよい。また台形の底辺と高さの比は適宜に設定することができる。
【００１２】
固定用治具（10）は、図２に例示したように、カウンター（１）の裏面に突設したリブ（７）の頂面幅より広い底板（11）と、底板（11）の両側から立設し、上方に向けて接近する相対向の側板（12）とを有し、側板（12）がリブ（７）の側面に当接することによってリブ（７）に挟着される。また、図２に例示したように、側板（12）の上縁からは水平片（13）を延設することができる。この水平片（13）は、シンク（４）のフランジ部（５）に対する固定支持力を向上させるためには好ましいが、必ずしも必須の構成要件ではない。側板（12）の厚みを厚くすることによってフランジ部（５）に対する十分な固定支持力を確保することもできる。また、水平片（13）は、この図２に例示したように両側にあってもよく、あるいはフランジ部（５）を支持固定する側のみにあってもよい。なお、水平片（13）の長さは、カウンター（１）の端縁から突出しない範囲で適宜とすることができるが、図２に示したようにフランジ部（５）にパッキン材（３）を配設する場合には、その配設部を確保できる程度の長さが好ましい。
【００１３】
このような固定用治具（10）は、例えばABSやポリプロピレン等の樹脂、ゴム材、アルミニウム等の金属材等の成形品とすることができる。
図３は、この発明のシンク取付構造に用いる固定用治具の一例を示した斜視図である。
【００１４】
この図３に例示した固定用治具（10A）の場合には、底板（11）または側板（12）もしくはその両方が弾性素材（例えばABS樹脂、ポリプロピレン樹脂、ゴム等）によって構成されており、側板（12）の上端辺間の間隙が、弾性によってリブ（７）の頂面幅より広く開くようになっている。そのため、側板（12）上辺の間隙を広げた状態でリブ（７）の位置まで固定用治具（10A）を押し上げ、側板（12）間の間隙を元の幅に復元させることによって側板（12）をリブ（７）の側面に当接させ、リブ（７）に挟着させることができる。そして、固定用治具（10A）の水平片（13）とカウンター（１）の裏面との間でシンク（４）のフランジ部（５）を挟持するようになっている。また、側板（12）を外側に広げた状態で固定用治具（10A）を押し下げることによって、容易にシンクを取り外すことが可能である。
【００１５】
なお、このような固定用治具（10A）は、シンク用開口（２）の全周にわたってリブ（７）が突設されている場合に有効である。全周リブの１辺全長に対応する長さの固定用治具、または２辺以上の長さに対応する折れ曲がり固定用治具等であっても、容易に挟着固定することができる。
【００１６】
図４は、この発明のシンク取付構造に用いることのできる別の固定用治具を例示した斜視図である。
この図４に例示した固定用治具（10B）は、リブ（７）の端面方向からスライドさせ、側板（12）がリブ（７）の側面に当接することによって挟着されるようになっている。底板（11）や側板（12）は弾性を持たなくてもよく、ABS樹脂やポリプロピレン樹脂、ゴム等の他に、アルミニウム等の金属材の成型品を用いることができる。
【００１７】
なお、図３に示した弾性を有する固定用治具（10A）も、図４の固定治具（10B）と同様にしてスライド挟着することもできる。すなわち、図５に例示したように、シンク用開口（２）全周に突設されたリブ（７）の少なくとも１組の対角部に切欠き部（８）が設けられていれば、その切欠き部（８）から固定用治具（10Aまたは10B）をスライド挟着させることができる。
【００１８】
さらにまた、前記の固定用治具（10Aまたは10B）は、図６に例示したように、単寸法のものを複数個、間隔を開けて配設することもできる。すなわち、シンク用開口（２）の全周に突設したリブ（７）に、単寸法の固定用治具（10A）を個々に所定位置に押し上げ配設するか、または図５に例示したようなリブ（７）の切欠き部（８）から単寸法の固定治具（10Aまたは10B）を順次にスライドさせて所定位置に配設するようにしてもよい。このような構造とすることによって、固定用治具(10)の材料を省略化することができる。もちろん、固定用治具（10）の長さや個数を適宜に設定することによって十分なシンク支持力を確保することができる。
【００１９】
図７は、この発明のシンク取付構造に用いることのできるさらに別の固定用治具を例示した斜視図である。
この図７に例示した固定用治具（10C）は、図４に例示した固定用治具（10B）と同様に、リブ（７）に対してスライド挟着するが、側板（12）の間隙が、スライド方向（矢印）の先端から後端にかけて狭くなっている。リブ（７）に対してスライドさせた場合、間隙が狭まった後端部において強く挟着し、高いシンク保持力がもたらされる。また強い挟着力によって固定用治具（10C）のスライドが一定位置で停止するため、位置決めも容易である。なお、この固定用治具（10C）の長さ寸法は、スライドが一定位置で停止するため、シンク用開口（２）の１辺長に対応するような長寸法のものではなく、単寸法のものが使用される。さらには、図７に例示したように、リブ（７）もまた固定用治具（10C）の長さに対応した単寸法のものを突設することが好ましい。あるいは、図８に例示したように、一定長を有するリブ（７）の両側からそれぞれ固定用治具（10C）をスライド挟着するようにしてもよい。
【００２０】
もちろんこの出願の発明は、以上の例によって限定されるものではなく、細部については様々な形態が可能であることは言うまでもない。
【００２１】
【発明の効果】
以上詳しく説明したとおり、この出願の発明によって、シンクを簡便かつ強固に取り付けるとともに、容易にシンクを取り外すことのできるシンク取付構造が提供される。
【図面の簡単な説明】
【図１】  この発明のシンク取付構造の一実施例を示した断面図である。
【図２】  この発明のシンク取付構造における固定用治具の取付状態を例示した要部断面図である。
【図３】  この発明のシンク取付構造に用いる固定用治具の一例を示した斜視図である。
【図４】  この発明のシンク取付構造に用いることのできる別の固定用治具を例示した斜視図である。
【図５】  この発明のシンク取付構造における固定用治具の配列例を示した平面図である。
【図６】  この発明のシンク取付構造における固定用治具の別の配列例を示した平面図である。
【図７】  この発明のシンク取付構造に用いることのできるさらに別の固定用治具を例示した斜視図である。
【図８】  図７に例示した固定用治具の配列例を示した側面図である。
【図９】  従来のシンク取付構造を例示した平面図である。
【図１０】  図９のＡ−Ａ拡大断面図である。
【図１１】  図９のＢ−Ｂ拡大断面図である。
【符号の説明】
１  カウンター
２  シンク用開口
３  パッキン材
４  シンク
５  フランジ部
６  固着剤
７  リブ
８  切欠き部
10、10A、10B、10C  固定用治具
11  底板
12  側板
13  水平片
【図１】
0003700608.tif 000002
【図２】
0003700608.tif 000003
【図３】
0003700608.tif 000004
【図４】
0003700608.tif 000005
【図５】
0003700608.tif 000006
【図６】
0003700608.tif 000007
【図７】
0003700608.tif 000008
【図８】
0003700608.tif 000009
【図９】
0003700608.tif 000010
【図１０】
0003700608.tif 000011
【図１１】
0003700608.tif 000012